(57)【要約】【課題】空気調和装置の室内機の外観の一部を形成するカバー部材を装着する際に、カバー部材における意匠面のラインを容易に合わせることができる室内機を提供する。【解決手段】空気調和装置の室内機の外観の一部を形成し、固定用穴が形成されたリッド５と、固定用穴に挿通され、パネル２のボス部８に対して締結されるネジ７とを備えている。ネジ７は、ボス部８に着脱可能に固定される先端部と、リッド５に対して先端部とは反対側のリッド５の表面側に位置する頭部７ｂを有する。リッド５の表面と表面に対向するネジ７の頭部７ｂの座面７ｂ１との間には、隙間が形成され、かつ、座面７ｂ１とボス部８の接触先端８ａが接触している。【選択図】図４
2019120435.tif 000002
【特許請求の範囲】
【請求項１】
空気調和装置の室内機の外観の一部を形成し、固定用穴が形成されたカバー部材と、
前記固定用穴に挿通され、室内機本体の本体側締結部に対して締結される締結部材と、
を備え、
前記締結部材は、前記本体側締結部に着脱可能に固定される先端部と、前記カバー部材に対して前記先端部とは反対側の前記カバー部材の表面側に位置する頭部を有し、
前記本体側締結部は、前記締結部材が挿入されるボス部を備え、
前記カバー部材の前記表面と該表面に対向する前記締結部材の前記頭部の座面との間には、隙間が形成され、かつ、前記座面と前記ボス部の先端が接触している空気調和装置の室内機。
【請求項２】
前記カバー部材の前記表面と前記締結部材の前記座面との間に形成される前記隙間は、０．０５ｍｍ以上０．３ｍｍ以下とされている請求項１に記載の空気調和装置の室内機。
【請求項３】
前記カバー部材は、前記締結部材の前記頭部と前記本体側締結部との間に狭持されている請求項１又は２に記載の空気調和装置の室内機。
【発明の詳細な説明】
【技術分野】
【０００１】
本発明は、空気調和装置の室内機、特に室内機の外観の一部を構成するカバー部材の固定に関するものである。
【背景技術】
【０００２】
空気調和装置の構成部品である圧縮機や熱交換器を固定する際には、締結部材としてネジが多用されている。この場合、ネジの頭部の座面を相手側の部材に接触させて押し付けることによって締結するのが一般的である（例えば特許文献１参照）。
【先行技術文献】
【特許文献】
【０００３】
【特許文献１】実開昭６０−７３０２９号公報
【発明の概要】
【発明が解決しようとする課題】
【０００４】
しかし、上述のような締結方法では、図７に示すように、ネジ７の頭部７ｂの座面７ｂ１が当接する相手側の部材１０は、ネジの締結トルクの影響を直接受けることになる。特に、締結トルクが過大となった場合には、ネジのせん断力の影響を受け、ネジの回転方向に相手側の部材１０自体も共に回転してしまうことになる。
【０００５】
相手側の部材１０が空気調和装置の室内機の外観の一部を形成するカバー部材とされた場合、カバー部材が回転してしまうと、カバー部材の周囲の合わせ部に位置ずれが生じて段差が発生し、意匠面のラインがずれてしまうことで外観を損ねてしまう。これを回避するためには、工場でトルクを管理するなどの特別な管理が必要になる。しかし、管理するトルクの数だけドライバを増やすことになり効率的でない。
【０００６】
そこで、本発明は、このような事情に鑑みてなされたものであって、空気調和装置の室内機の外観の一部を形成するカバー部材を固定する際に、カバー部材における意匠面のラインを容易に合わせることができる空気調和装置の室内機を提供することを目的とする。
【課題を解決するための手段】
【０００７】
本発明の一態様に係る空気調和装置の室内機は、空気調和装置の室内機の外観の一部を形成し、固定用穴が形成されたカバー部材と、前記固定用穴に挿通され、室内機本体の本体側締結部に対して締結される締結部材と、を備え、前記締結部材は、前記本体側締結部に着脱可能に固定される先端部と、前記カバー部材に対して前記先端部とは反対側の前記カバー部材の表面側に位置する頭部を有し、前記本体側締結部は、前記締結部材が挿入されるボス部を備え、前記カバー部材の前記表面と該表面に対向する前記締結部材の前記頭部の座面との間には、隙間が形成され、かつ、前記座面と前記ボス部の先端が接触している。
【０００８】
カバー部材は、空気調和装置の室内機の外観の一部とされ、室内機の意匠面を構成する。締結部材は、カバー部材に形成された固定用穴に締結部材が挿通されることによって、室内機本体の本体締結部に対して締結される。締結部材の先端部が本体側締結部に対して着脱可能に固定されているので、カバー部材は、種々の作業の際に取り外すことができるようになっている。
締結部材の座面とボス部の先端が接触することによって本体側締結部に対する締結部材の移動が制止される。その一方で、カバー部材の表面と締結部材の頭部の座面との間には、隙間が形成されている。これにより、カバー部材を室内機本体に固定する際の締結部材の締結トルクは、ボス部に伝達されるだけでカバー部材に直接的に伝達されることはない。したがって、カバー部材が締結部材と共に回転してしまうことを防ぐことができ、カバー部材の固定時に位置ずれを生じさせずに意匠面のラインを容易に合わせることができる。
【０００９】
さらに、本発明の一態様に係る空気調和装置の室内機では、前記カバー部材の前記表面と前記締結部材の前記座面との間に形成される前記隙間は、０．０５ｍｍ以上０．３ｍｍ以下とされている。
【００１０】
カバー部材の表面と締結部材の座面との間に０．０５ｍｍ以上０．３ｍｍ以下の隙間を形成して隙間を可及的に小さく管理することによって、室内機に振動が生じてカバー部材が締結部材や本体締結部と衝突しても大きな騒音が発生することがない。
【００１１】
さらに、本発明の一態様に係る空気調和装置の室内機では、前記カバー部材は、前記締結部材の頭部と前記本体側締結部との間に狭持されている。
【００１２】
カバー部材は、締結部材の頭部と本体締結部材との間に狭持されているので、カバー部材が室内機本体から離脱することがない。
【発明の効果】
【００１３】
締結部材の締結トルクがカバー部材に伝達されることはないので、カバー部材を固定する際に、カバー部材における意匠面のラインを容易に合わせることができる。
【図面の簡単な説明】
【００１４】
【図１】本発明の一実施形態に係る空気調和装置の室内機を示した斜視図である。
【図２】図１のカバー部周りを拡大して示した分解斜視図である。
【図３】図２の固定用穴を拡大示した斜視図である。
【図４】ネジ周りを拡大して示した部分断面斜視図である。
【図５】ネジ周りを示した縦断面図である。
【図６】図５を部分的に拡大して示した縦断面図である。
【図７】ネジの頭部の座面と相手側の部材が接触する状態を示した縦断面図である。
【発明を実施するための形態】
【００１５】
以下に、本発明にかかる一実施形態について、図面を参照して説明する。
空気調和装置は、室内機と室外機とを備えている。室内機と室外機との間は、冷媒配管や通信線等によって接続されている。室外機には、冷媒を圧縮する圧縮機や室外熱交換器が設けられている。
【００１６】
図１には、空気調和装置の室内機１が示されている。室内機１の内部には、室内熱交換器、室内ファン等が設けられている。室内機１はパネル（室内機本体）２を備えている。パネル２は、樹脂製とされており、室内機１の外観を構成する。パネル２の下方には、フラップ３が設けられており、このフラップ３が開くと、室内熱交換器によって温度調節された空調風が室内に吹き出す。
【００１７】
パネル２の下方の角部（図１では右側の角部）には、樹脂製とされたリッド（カバー部材）５が設けられている。リッド５は、パネル２と共に室内機１の意匠面を形成している。したがって、リッド５の周囲の合わせ面に形成されるラインは、パネル２と位置ずれなく形成されることが求められる。リッド５は、室外機と連結された通信線を取り付ける端子台を覆う位置に設けられている。したがって、作業者は、室内機１の据付時やメンテナンス時にリッド５を取り外したり固定したりする。
【００１８】
図２には、リッド５周りがパネル２から取り外された状態が示されている。リッド５は、室内機１の角部を形成するように略Ｌ字状に屈曲した形状とされている。リッド５の一端５ａには、図示しない爪部が設けられており、パネル２の対応する位置に設けられた受け部（図示せず）に対して差し込まれて係合した状態で固定されるようになっている。リッド５の他端５ｂ側には、ネジ（締結部材）７が挿通される固定用穴５ｃが形成されている。
【００１９】
パネル２には、固定用穴５ｃに対応する位置に、ネジ７の軸部（先端部）７ａが螺合されるボス部８が設けられている。ネジ７は、雄ネジ溝が形成された軸部７ａと、軸部７ａよりも大径とされた頭部７ｂとを備えている。
【００２０】
図３に示すように、固定用穴５ｃには、固定用穴５ｃの外縁５ｃ１から中心に向かって突出する舌部５ｄが設けられている。舌部５ｄは、対向するように２つ設けられている。ただし、舌部５ｄは３つ以上であっても良い。対向する舌部５ｄの先端同士の間隔である直径Ｂは、ネジ７の軸部７ａの直径に対応する寸法とされている。この舌部５ｄの先端間に、ネジ７の軸部７ａが挿通される。隣り合う舌部５ｄ間には、ボス挿通空間５ｃ２が形成されている。このボス挿通空間５ｃ２に、図３に示すようにボス部８の接触先端（先端）８ａが挿入されるようになっている。
【００２１】
図４には、ネジ７によってリッド５が固定された状態が示されている。ネジ７の中心軸線Ｃ１よりも左側には、図３に示したボス挿通空間５ｃ２に相当する位置の断面（以下、単に「左断面」という。）が示されており、ネジ７の中心軸線Ｃ１よりも右側には、図３に示した舌部５ｄに相当する位置の断面（以下、単に「右断面」という。）が示されている。左断面と右断面とがなす角は、中心軸線Ｃ１周りに９０°となっている。
【００２２】
左断面に示されているように、ネジ７の頭部７ｂの座面（図４において下面）７ｂ１に対してボス部８の接触先端８ａが当接している。接触先端８ａは、ボス部８を支持するベース９からネジ７の頭部７ｂ側に突出するように形成されている（図５参照）。これにより、ネジ７の締結トルクはボス部８に対して直接的に伝達されるようになっている。
【００２３】
接触先端８ａは、ボス部８の先端側に、ボス部８の周方向において部分的に設けられている。すなわち、図３に示したボス挿通空間５ｃ２に対応する位置に接触先端８ａが設けられており、舌部５ｄに対応する位置には接触先端８ａは設けられていない。したがって、右断面に示した断面位置では、ボス部８には、ベース９から突出する接触先端８ａが設けられていない。このため、ネジ７の頭部７ｂとボス部８との間に形成された空間には、舌部５ｄが介挿されている。
【００２４】
図５に示すように、ネジ７の直径Ａよりも舌部５ｄの先端同士間の隙間直径Ｂ（具体的には図３参照）の方が小さくされている。これにより、頭部７ｂとボス部８との間に舌部５ｄが狭持されるようになっている。ただし、ネジ７の座面７ｂ１と舌部５ｄの表面とは接触しておらず、所定の隙間Ｘが形成されている。図６には、隙間Ｘが示されており、好ましくは、隙間Ｘは０．０５ｍｍ以上０．３ｍｍ以下とされている。なお、隙間Ｘは、舌部５ｄの表裏面の両側に隙間Ｘ１，Ｘ２が存在し、これらの合計値（Ｘ１＋Ｘ２）が隙間Ｘとなる。
【００２５】
本実施形態によれば、以下の作用効果を奏する。
ネジ７の頭部７ｂの座面７ｂ１とボス部８の接触先端８ａが接触することによって、ボス部８に対するネジ７の移動が制止される。その一方で、リッド５の舌部５ｄの表面とネジ７の頭部７ｂの座面７ｂ１との間には、隙間Ｘが形成されている。これにより、リッド５をパネル２に装着する際のネジ７の締結トルクは、ボス部８に伝達されるだけでリッド５に直接的に伝達されることはない。したがって、リッド５がネジ７と共に回転してしまうことを防ぐことができ、リッド５の装着時に位置ずれを生じさせずに意匠面のラインを容易に合わせることができる。
【００２６】
リッド５の表面とネジ７の頭部７ｂの座面７ｂ１との間に０．０５ｍｍ以上０．３ｍｍ以下の隙間を形成して隙間を可及的に小さく管理することによって、室内機１に振動が生じてリッド５の舌部５ｄがネジ７やボス部８と衝突しても大きな騒音が発生することがない。
【００２７】
リッド５の舌部５ｄは、ネジ７の頭部７ｂとボス部８との間に狭持されているので、リッド５がパネル２から離脱することがない。
【００２８】
なお、上述した実施形態では、リッド５をパネル２に固定する構成を一例として説明したが、本発明はこれに限定されるものではなく、室内機１のパネル２の一部を構成するカバー部材の固定であれば他の用途にも用いることができる。
【符号の説明】
【００２９】
１  室内機
２  パネル（室内機本体）
３  フラップ
５  リッド（カバー部材）
５ａ  一端
５ｂ  他端
５ｃ  固定用穴
５ｃ１  外縁
５ｃ２  ボス挿通空間
５ｄ  舌部
７  ネジ（締結部材）
７ａ  軸部（先端部）
７ｂ  頭部
７ｂ１  座面
８  ボス部
８ａ  接触先端（先端）
９  ベース
Ｃ１  （ネジの）中心軸線
【図１】
2019120435.tif 000003
【図２】
2019120435.tif 000004
【図３】
2019120435.tif 000005
【図４】
2019120435.tif 000006
【図５】
2019120435.tif 000007
【図６】
2019120435.tif 000008
【図７】
2019120435.tif 000009